【手続補正書】
【提出日】平成20年9月10日(2008.9.10)
【手続補正１】
【補正対象書類名】特許請求の範囲
【補正対象項目名】全文
【補正方法】変更
【補正の内容】
【特許請求の範囲】
【請求項１】
同報通信暗号化手法で暗号化されかつ私設ネットワークにおける複数のコンピューティング装置上に分配されるメディア・コンテンツをピア・ツー・ピアで共有するためのメディア・ストリーミング装置であって、前記メディア・コンテンツは、前記私設ネットワークのメディア・コンテンツ保護ドメインに属し、前記メディア・ストリーミング装置は、各前記コンピューティング装置上に設置され、コントローラ（３０１）と、高信頼メディア・プレーヤ（３０２）と、メディア・ストリーミング・プロキシ（３０３）と、暗号化／復号化モジュール（３０４）とを備え、
前記コントローラは、前記メディア・ストリーミング・プロキシおよび前記高信頼メディア・プレーヤを制御して、ユーザの要求またはアプリケーション構成要素から来る要求に従って、前記メディア・コンテンツ保護ドメインの要求されたメディア・ストリームをレンダリングするように動作可能であり、
前記高信頼メディア・プレーヤは、前記コントローラの制御下で前記要求されたメディア・ストリームをユーザのために安全にレンダリングするように動作可能であり、
前記メディア・ストリーミング・プロキシは、前記高信頼メディア・プレーヤおよび前記私設ネットワーク内の他のコンピューティング装置における前記メディア・コンテンツ保護ドメインの他の遠隔メディア・ストリーミング・プロキシと通信して、暗号化メディア・ストリームを転送して、前記暗号化／復号化モジュールを制御して前記メディア・ストリームを暗号化／復号化し、復号化メディア・ストリームを前記高信頼メディア・プレーヤへ提供し、
前記暗号化／復号化モジュールは、前記メディア・コンテンツ保護ドメインに対応しており、前記メディア・ストリーミング・プロキシの制御下で前記メディア・コンテンツ保護ドメインの前記メディア・ストリームを暗号化／復号化するためのものである、メディア・ストリーミング装置。
【請求項２】
前記高信頼メディア・プレーヤは、ＨＴＴＰメディア・ストリーミング手法をサポートし、前記メディア・ストリーミング・プロキシは、前記メディア・コンテンツ保護ドメインの前記復号化メディア・ストリームをＨＴＴＰプロトコルを介して前記高信頼メディア・プレーヤへ提供する、請求項１に記載の装置。
【請求項３】
前記メディア・ストリーミング・プロキシは、
前記コントローラからのコマンドを受信して、メディア・ストリームに対する要求と、受信されたメディア・ストリームとを、前記私設ネットワーク内の前記高信頼メディア・プレーヤと他の遠隔メディア・ストリーミング・プロキシとの間で解釈および転送するためのメディア・ストリーミング・マネージャ（４０１）と、
前記私設ネットワーク上の任意の２つのアドレス間のマッピング関係を記憶するためのネットワーク・アドレス・マッピング・テーブル（４０２）であって、前記メディア・ストリーミング・マネージャは、メディア・ストリームに対する要求と、受信されたメディア・ストリームとを前記私設ネットワーク内の前記高信頼メディア・プレーヤと他の遠隔メディア・ストリーミング・プロキシとの間で解釈および転送し、
前記高信頼メディア・ストリーミング・プレーヤからの要求を処理して、前記復号化メディア・ストリームを前記高信頼メディア・ストリーミング・プレーヤへ提供するための構内メディア・ストリーミング・モジュール（４０３）と、
前記私設ネットワークにおける他の遠隔メディア・ストリーミング・プロキシと通信して、暗号化メディア・ストリームを転送して、前記暗号化／復号化モジュールを前記メディア・ストリームを暗号化／復号化するように制御するための遠隔転送モジュール（４０４）とを備える、請求項１に記載の装置。
【請求項４】
前記私設ネットワーク上の前記複数のコンピューティング装置は、ユーザ・ポリシーに基づいて複数のメディア・コンテンツ保護ドメインに分割され、同一のメディア・コンテンツ保護ドメイン内の各コンピューティング装置は、同一のドメイン・キーを使用してメディア・コンテンツを暗号化／復号化し、同一の通信プロトコルを使用して互いに通信することになる、請求項１から３のいずれか１つに記載の装置。
【請求項５】
複数のメディア・コンテンツ保護ドメインに属するコンピューティング装置上で、そのメディア・ストリーミング装置は、各メディア・コンテンツ保護ドメインに対応する複数の暗号化／復号化モジュールを備え、そのメディア・ストリーミング・プロキシは、暗号化メディア・ストリームを様々なメディア・コンテンツ保護ドメイン間で転送できるように、各メディア・コンテンツ保護ドメインに対応する複数の通信プロトコルをサポートする、請求項４に記載の装置。
【請求項６】
請求項１から５のいずれか１つに記載のメディア・ストリーミング装置が設置されているコンピューティング装置。
【請求項７】
私設ネットワークにおいてメディア・コンテンツを共有するためのシステムであって、前記システムは、複数のコンピューティング装置を備え、前記複数のコンピューティング装置は、同報通信暗号化手法で暗号化されかつ前記私設ネットワークを介して前記複数のコンピューティング装置上に分配される前記メディア・コンテンツを共有する権限を有し、各コンピューティング装置は、請求項１から５のいずれか１つに記載のメディア・ストリーミング装置が設置されている、システム。
【請求項８】
前記コンピューティング装置のいずれか１つは、携帯情報端末、パーソナル・コンピュータ、スマート・ホン、およびセット・トップ・ボックスのうちの１つである、請求項７に記載の私設ネットワークにおいてメディア・コンテンツを共有するためのシステム。
【請求項９】
前記私設ネットワークは、ホーム・ネットワークである、請求項７に記載の私設ネットワークにおいてメディア・コンテンツを共有するためのシステム。
【請求項１０】
私設ネットワークにおいてメディア・コンテンツを共有するための方法であって、前記私設ネットワークは、その上に複数のコンピューティング装置が接続されており、前記複数のコンピューティング装置は、同報通信暗号化手法で暗号化されかつ前記私設ネットワークを介して前記様々なコンピューティング装置上に分配される前記メディア・コンテンツを共有する権限を有し、前記様々なコンピューティング装置には、請求項１から５のいずれか１つに記載のメディア・ストリーミング装置が設置されており、前記方法は、
前記私設ネットワーク上のあうコンピューティング装置が他のコンピューティング装置上に暗号化メディア・コンテンツをレンダリングする要求を行う場合に、
前記あるコンピューティング装置の前記構内メディア・ストリーミング・プロキシによって、前記他のコンピューティング装置上の前記遠隔メディア・ストリーミング・プロキシへ要求を送出するステップと、
前記暗号化メディア・コンテンツをブロック毎に読み出して、前記遠隔メディア・ストリーミング・プロキシによって前記構内メディア・ストリーミング・プロキシへ送出するステップと、
前記暗号化メディア・ストリーミングを復号化して、前記あるコンピューティング装置の前記構内の高信頼メディア・ストリーミング・プレーヤへ転送するステップとを含む、方法。
【請求項１１】
前記私設ネットワーク上の前記複数のコンピューティング装置は、ユーザのポリシーに基づいて複数のメディア・コンテンツ保護ドメインに分割され、同一のメディア・コンテンツ保護ドメイン内の各コンピューティング装置は、同一のドメイン・キーを使用してメディア・コンテンツを暗号化／復号化し、同一の通信プロトコルを使用して互いに通信することになる、請求項１０に記載の私設ネットワークにおいてメディア・コンテンツを共有するための方法。
【請求項１２】
前記あるコンピューティング装置と前記他のコンピューティング装置が２つの互いに異なるメディア・コンテンツ保護ドメイン内にある場合には、前記メディア・コンテンツは、前記２つの互いに異なるメディア・コンテンツ保護ドメインに同時に属する中間コンピューティング装置を介して共有される、請求項１１に記載の私設ネットワークにおいてメディア・コンテンツを共有するための方法。